(57)【要約】【課題】現用系の運用中に、予備系の障害を検出できるようにすること。【解決手段】現用系の運用中に、現用系の光信号に含まれているデータのデータ使用率が低くなった場合に、現用系の光信号に含まれているデータをデータバッファ部１２５に記憶させて、現用系のクライアントＩＦ部１２１からの出力を停止するとともに、予備系のＩＤＬＥパタン生成部１２９からＩＤＬＥパタン信号を出力させ、予備系のセレクタ１３０で、ＩＤＬＥパタン信号を選択し、予備系のクライアントＩＦ部１２１から、ＩＤＬＥパタン信号に対応する光信号を出力させ、予備系のモニタ部１２６で、出力された光信号の出力レベルをモニタして、予備系の障害の有無を判断する。【選択図】図２
2018186318.tif 000002
【特許請求の範囲】
【請求項１】
クライアント装置を光ネットワークに接続するための通信装置であって、
前記クライアント装置からの第１光信号を、第２光信号及び第３光信号に分岐する分岐部と、
前記第２光信号を、前記光ネットワーク用の第４光信号に変換して、当該第４光信号を前記光ネットワークに出力するとともに、前記光ネットワークにおいて第６光信号から分岐された第７光信号を前記光ネットワークから受信して、当該第７光信号を、前記クライアント装置用の第９光信号に変換する現用系のインターフェース部と、
前記第３光信号を、前記光ネットワーク用の第５光信号に変換して、当該第５光信号を前記光ネットワークに出力する予備系のインターフェース部と、
前記現用系のインターフェース部に障害が発生していない場合には、前記現用系のインターフェース部に前記第９光信号を前記クライアント装置へ出力させ、前記現用系のインターフェース部に障害が発生している場合には、前記現用系のインターフェース部に前記第９光信号の出力を停止させるとともに、前記予備系のインターフェース部に、前記第６光信号から分岐された第８光信号を前記光ネットワークから受信して、当該第８光信号を、前記クライアント装置用の第１０光信号に変換させて、当該第１０光信号を前記クライアント装置へ出力させるプロテクション制御部と、を備え、
前記現用系のインターフェース部は、
前記第７光信号に含むことができるデータ量に対する、前記第７光信号に含まれているデータ量の割合であるデータ使用率を検出するデータ使用率検出部と、
前記第７光信号に含まれているデータをバッファするデータバッファ部と、を備え、
前記予備系のインターフェース部は、
前記第１０光信号又は予め定められたアイドルパタンを示すアイドルパタン光信号を出力するクライアントインターフェース部と、
前記アイドルパタン光信号の出力レベルを監視することで、前記予備系のインターフェース部の障害の有無を判断する監視部と、を備え、
前記プロテクション制御部は、前記データ使用率が予め定められた閾値よりも低くなった場合に、前記第７光信号に含まれているデータを前記データバッファ部にバッファさせて、前記現用系のインターフェース部から前記第９光信号の出力を停止させるとともに、前記クライアントインターフェース部に前記アイドルパタン光信号を出力させ、前記監視部に前記予備系のインターフェース部の障害の有無を判断させること
を特徴とする通信装置。
【請求項２】
前記プロテクション制御部は、前記監視部が前記予備系のインターフェース部に障害がないと判断した場合には、前記予備系のインターフェース部からの出力を停止させるとともに、前記データバッファ部から、前記バッファされているデータを出力させて、前記現用系のインターフェース部から前記第９光信号を出力させること
を特徴とする請求項１に記載の通信装置。
【請求項３】
前記予備系のインターフェース部は、
前記第８光信号を受信して、前記第８光信号に対応する電気信号を生成する伝送路インターフェース部と、
前記アイドルパタンを示すアイドルパタン信号を生成するアイドルパタン生成部と、
前記クライアントインターフェース部に入力する信号を、前記電気信号及び前記アイドルパタン信号の間で切り替えるセレクタと、をさらに備え、
前記クライアントインターフェース部は、前記電気信号が入力された場合には、前記第１０光信号を出力し、前記アイドルパタン信号が入力された場合には、前記アイドルパタン光信号を出力すること
を特徴とする請求項１又は２に記載の通信装置。
【請求項４】
クライアント装置を光ネットワークに接続するための通信装置であって、
前記クライアント装置からの第１光信号を、第２光信号及び第３光信号に分岐する分岐部と、
前記第２光信号を、前記光ネットワーク用の第４光信号に変換して、当該第４光信号を前記光ネットワークに出力するとともに、前記光ネットワークにおいて第６光信号から分岐された第７光信号を前記光ネットワークから受信して、当該第７光信号を、前記クライアント装置用の第９光信号に変換する現用系のインターフェース部と、
前記第３光信号を、前記光ネットワーク用の第５光信号に変換して、当該第５光信号を前記光ネットワークに出力するとともに、前記第６光信号から分岐された第８光信号を前記光ネットワークから受信して、当該第８光信号を、前記クライアント装置用の第１０光信号に変換する予備系のインターフェース部と、
前記現用系のインターフェース部に障害が発生していない場合には、前記現用系のインターフェース部に前記第９光信号を前記クライアント装置へ出力させ、前記現用系のインターフェース部に障害が発生している場合には、前記現用系のインターフェース部に前記第９光信号の出力を停止させるとともに、前記予備系のインターフェース部に前記第１０光信号を前記クライアント装置へ出力させるプロテクション制御部と、
前記現用系のインターフェース部から前記クライアント装置への出力と、前記予備系のインターフェース部から前記クライアント装置への出力とを合波する合波部と、を備え、
前記予備系のインターフェース部は、
前記第１０光信号を出力するクライアントインターフェース部と、
前記クライアントインターフェース部から出力された前記第１０光信号の出力レベルを減衰させる光減衰制御部と、
前記光減衰制御部で減衰された出力レベルを監視することで、前記予備系のインターフェース部の障害の有無を判断する監視部と、を備え、
前記プロテクション制御部は、前記現用系のインターフェース部に障害が発生していない場合に、前記光減衰制御部に前記第１０光信号の出力レベルを減衰させ、前記監視部に前記予備系のインターフェース部の障害の有無を判断させること
を特徴とする通信装置。
【請求項５】
前記プロテクション制御部は、前記クライアントインターフェース部に、常時、前記第１０光信号を出力させること
を特徴とする請求項４に記載の通信装置。
【請求項６】
前記光減衰制御部は、前記通信装置の運用が開始された際に、前記第１０光信号の出力レベルを減衰させる減衰量を最大としてから、徐々に当該減衰量を小さくしていき、前記光減衰制御部で減衰された出力レベルが、前記現用系のインターフェース部の出力に影響を与えない予め定められたレベルとなるように、当該減衰量を制御すること
を特徴とする請求項５に記載の通信装置。
【請求項７】
時刻を測り、設定された時刻になったか否かを判断する時刻計測部をさらに備え、
前記クライアントインターフェース部は、前記時刻計測部が前記設定された時刻になったと判断した場合に、前記第１０光信号を出力し、
前記光減衰制御部は、前記時刻計測部が前記設定された時刻になったと判断した場合に、前記第１０光信号の出力レベルを減衰させる減衰量を最大としてから、徐々に当該減衰量を小さくしていき、前記光減衰制御部で減衰された出力レベルが、前記現用系のインターフェース部の出力に影響を与えない予め定められたレベルとなるように、当該減衰量を制御し、
前記監視部は、前記時刻計測部が前記設定された時刻になったと判断した場合に、前記予備系のインターフェース部の障害の有無を判断すること
を特徴とする請求項４に記載の通信装置。
【請求項８】
前記プロテクション制御部は、前記監視部が前記予備系のインターフェース部の障害の有無の判断を終了した場合に、前記クライアントインターフェース部に前記第１０光信号の出力を停止させること
を特徴とする請求項７に記載の通信装置。
【請求項９】
前記光減衰制御部は、前記監視部が前記予備系のインターフェース部の障害の有無を判断している場合に、前記減衰量を周期的に変更し、
前記監視部は、前記光減衰制御部で減衰された出力レベルが変動しない場合に、前記光減衰制御部の障害と判断すること
を特徴とする請求項６から８の何れか一項に記載の通信装置。
【請求項１０】
前記光減衰制御部は、少なくとも３５ｄＢの損失可変範囲を有すること
を特徴とする請求項４から９の何れか一項に記載の通信装置。
【発明の詳細な説明】
【技術分野】
【０００１】
本発明は、通信装置に関し、特に、クライアント装置を光ネットワークに接続するための通信装置に関する。
【背景技術】
【０００２】
近年の通信データの大容量化及び通信の高速化に伴い、装置当たりの伝送容量も、従来の１Ｇｂｐｓ及び１０Ｇｂｐｓから、４０Ｇｂｐｓ及び１００Ｇｂｐｓへと大容量化が進んでいる。さらに、装置当たりの伝送容量は、今後、２００Ｇｂｐｓ及び４００Ｇｂｐｓへと大容量化していく。
【０００３】
装置当たりの伝送容量が増加すると、伝送路の異常又は装置の異常が発生した場合、その影響も非常に大きくなる。このため、特許文献１に記載されるような、現用系及び予備系で冗長化したプロテクション構成を適用することで、現用系に異常が発生した場合にも、出力を予備系に切り替えて通信を継続する方法が広く用いられている。
【先行技術文献】
【特許文献】
【０００４】
【特許文献１】特開２０１０−１４７５９４号公報
【発明の概要】
【発明が解決しようとする課題】
【０００５】
従来のプロテクション構成は、現用系で異常が検出された場合に、現用系をシャットダウンし、予備系を発光させ、予備系からの信号をクライアント装置へ出力するようになっている。
【０００６】
従来のプロテクション構成では、予備系は、異常の検出時にしか発光しないため、予備系側で発光できない障害が発生していた場合、予備系への切り替えを実行することができず、通信断が発生してしまう。
【０００７】
また、予備系に発光できない障害が発生しているかを確認するためには、予備系側を実際に発光させる必要があるが、予備系側をそのまま発光させた場合には、現用系側と予備系側の信号が衝突し、通信異常が発生する。
【０００８】
そこで、本発明は、現用系の運用中に、予備系の障害を検出できるようにすることを目的とする。
【課題を解決するための手段】
【０００９】
本発明の第１の態様に係る通信装置は、クライアント装置を光ネットワークに接続するための通信装置であって、前記クライアント装置からの第１光信号を、第２光信号及び第３光信号に分岐する分岐部と、前記第２光信号を、前記光ネットワーク用の第４光信号に変換して、当該第４光信号を前記光ネットワークに出力するとともに、前記光ネットワークにおいて第６光信号から分岐された第７光信号を前記光ネットワークから受信して、当該第７光信号を、前記クライアント装置用の第９光信号に変換する現用系のインターフェース部と、前記第３光信号を、前記光ネットワーク用の第５光信号に変換して、当該第５光信号を前記光ネットワークに出力する予備系のインターフェース部と、前記現用系のインターフェース部に障害が発生していない場合には、前記現用系のインターフェース部に前記第９光信号を前記クライアント装置へ出力させ、前記現用系のインターフェース部に障害が発生している場合には、前記現用系のインターフェース部に前記第９光信号の出力を停止させるとともに、前記予備系のインターフェース部に、前記第６光信号から分岐された第８光信号を前記光ネットワークから受信して、当該第８光信号を、前記クライアント装置用の第１０光信号に変換させて、当該第１０光信号を前記クライアント装置へ出力させるプロテクション制御部と、を備え、前記現用系のインターフェース部は、前記第７光信号に含むことができるデータ量に対する、前記第７光信号に含まれているデータ量の割合であるデータ使用率を検出するデータ使用率検出部と、前記第７光信号に含まれているデータをバッファするデータバッファ部と、を備え、前記予備系のインターフェース部は、前記第１０光信号又は予め定められたアイドルパタンを示すアイドルパタン光信号を出力するクライアントインターフェース部と、前記アイドルパタン光信号の出力レベルを監視することで、前記予備系のインターフェース部の障害の有無を判断する監視部と、を備え、前記プロテクション制御部は、前記データ使用率が予め定められた閾値よりも低くなった場合に、前記第７光信号に含まれているデータを前記データバッファ部にバッファさせて、前記現用系のインターフェース部から前記第９光信号の出力を停止させるとともに、前記クライアントインターフェース部に前記アイドルパタン光信号を出力させ、前記監視部に前記予備系のインターフェース部の障害の有無を判断させることを特徴とする。
【００１０】
本発明の第２の態様に係る通信装置は、クライアント装置を光ネットワークに接続するための通信装置であって、前記クライアント装置からの第１光信号を、第２光信号及び第３光信号に分岐する分岐部と、前記第２光信号を、前記光ネットワーク用の第４光信号に変換して、当該第４光信号を前記光ネットワークに出力するとともに、前記光ネットワークにおいて第６光信号から分岐された第７光信号を前記光ネットワークから受信して、当該第７光信号を、前記クライアント装置用の第９光信号に変換する現用系のインターフェース部と、前記第３光信号を、前記光ネットワーク用の第５光信号に変換して、当該第５光信号を前記光ネットワークに出力するとともに、前記第６光信号から分岐された第８光信号を前記光ネットワークから受信して、当該第８光信号を、前記クライアント装置用の第１０光信号に変換する予備系のインターフェース部と、前記現用系のインターフェース部に障害が発生していない場合には、前記現用系のインターフェース部に前記第９光信号を前記クライアント装置へ出力させ、前記現用系のインターフェース部に障害が発生している場合には、前記現用系のインターフェース部に前記第９光信号の出力を停止させるとともに、前記予備系のインターフェース部に前記第１０光信号を前記クライアント装置へ出力させるプロテクション制御部と、前記現用系のインターフェース部から前記クライアント装置への出力と、前記予備系のインターフェース部から前記クライアント装置への出力とを合波する合波部と、を備え、前記予備系のインターフェース部は、前記第１０光信号を出力するクライアントインターフェース部と、前記クライアントインターフェース部から出力された前記第１０光信号の出力レベルを減衰させる光減衰制御部と、前記光減衰制御部で減衰された出力レベルを監視することで、前記予備系のインターフェース部の障害の有無を判断する監視部と、を備え、前記プロテクション制御部は、前記現用系のインターフェース部に障害が発生していない場合に、前記光減衰制御部に前記第１０光信号の出力レベルを減衰させ、前記監視部に前記予備系のインターフェース部の障害の有無を判断させることを特徴とする。
【発明の効果】
【００１１】
本発明の一態様によれば、現用系の運用中に、現用系の出力に影響を与えることなく、予備系の障害を検出することができる。
【図面の簡単な説明】
【００１２】
【図１】実施の形態１〜３に係る通信システムの構成を概略的に示すブロック図である。
【図２】実施の形態１における通信装置の構成を概略的に示すブロック図である。
【図３】（Ａ）及び（Ｂ）は、ハードウェア構成例を示す概略図である。
【図４】実施の形態１において、通信装置における予備系の正常性を確認する処理を示すフローチャートである。
【図５】実施の形態１において、現用系のＩＦ部及び予備系のＩＦ部から第２カプラへの出力のタイミングを示す概略図である。
【図６】実施の形態２における通信装置の構成を概略的に示すブロック図である。
【図７】実施の形態２において、通信装置における予備系の正常性を確認する処理を示すフローチャートである。
【図８】実施の形態２において、現用系のＩＦ部及び予備系のＩＦ部から第２カプラへ出力される光信号の出力レベルの推移を示す概略図である。
【図９】実施の形態３における通信装置の構成を概略的に示すブロック図である。
【図１０】実施の形態３において、通信装置における予備系の正常性を確認する処理を示すフローチャートである。
【図１１】実施の形態３において、現用系のＩＦ部及び予備系のＩＦ部から第２カプラへ出力される光信号の出力レベルの推移を示す概略図である。
【発明を実施するための形態】
【００１３】
実施の形態１．
図１は、実施の形態１に係る通信システム１００の構成を概略的に示すブロック図である。
通信システム１００は、第１通信装置１１０Ａと、第２通信装置１１０Ｂと、監視端末１５０とを備える。
第１通信装置１１０Ａは、第１クライアント装置１０１Ａと、伝送路１０２Ａ、１０２Ｂで接続されている。
第２通信装置１１０Ｂは、第２クライアント装置１０１Ｂと、伝送路１０２Ｃ、１０２Ｄで接続されている。
そして、第１通信装置１１０Ａ及び第２通信装置１１０Ｂは、伝送路１０２Ｅ、１０２Ｆ、１０２Ｇ、１０２Ｆで接続されている。
以上の構成で、第１通信装置１１０Ａは、第１クライアント装置１０１Ａを、第２通信装置１１０Ｂ及び第２クライアント装置１０１Ｂを含む光ネットワークに接続する。また、第２通信装置１１０Ｂは、第２クライアント装置１０１Ｂを、第１通信装置１１０Ａ及び第１クライアント装置１０１Ａを含む光ネットワークに接続する。
【００１４】
第１クライアント装置１０１Ａ及び第２クライアント装置１０１Ｂは、通信を行う装置であって、例えば、コンピュータ等の情報処理装置、家電、撮像装置及びセンサ等の情報を送受信するあらゆる装置である。ここで、第１クライアント装置１０１Ａ及び第２クライアント装置１０１Ｂの各々を特に区別する必要がない場合には、クライアント装置１０１という。
【００１５】
第１通信装置１１０Ａ及び第２通信装置１１０Ｂは、第１クライアント装置１０１Ａ及び第２クライアント装置１０１Ｂ間で通信する光信号を中継する中継装置である。第１通信装置１１０Ａ及び第２通信装置１１０Ｂの各々を特に区別する必要がない場合には、通信装置１１０という。
ここで、第１通信装置１１０Ａ及び第２通信装置１１０Ｂは、現用系として機能する機能部及び予備系として機能する機能部をそれぞれ備えており、現用系に障害が生じた場合には、予備系を用いて通信を行う。
【００１６】
伝送路１０２Ａ〜１０２Ｈは、例えば、光ファイバである。伝送路１０２Ａ〜１０２Ｈの各々を特に区別する必要がない場合には、伝送路１０２という。
【００１７】
第１クライアント装置１０１Ａから、伝送路１０２Ａを介して、第１通信装置１１０Ａに入力された光信号は、第１カプラ１１１Ａ−１にて２分岐され、伝送路１０２Ｅ及び伝送路１０２Ｇを介して、第２通信装置１１０Ｂに送信される。
伝送路１０２Ｅ及び伝送路１０２Ｇを介して第２通信装置１１０Ｂに入力された光信号は、第２カプラ１１１Ｂ−２で合波されて、合波された光信号が、伝送路１０２Ｃを介して、第２クライアント装置１０１Ｂに送信される。
【００１８】
第２クライアント装置１０１Ｂから、伝送路１０２Ｄを介して、第２通信装置１１０Ｂに入力された光信号は、第１カプラ１１１Ａ−２にて２分岐され、伝送路１０２Ｆ及び伝送路１０２Ｈを介して、第１通信装置１１０Ａに送信される。
伝送路１０２Ｆ及び伝送路１０２Ｈを介して第１通信装置１１０Ａに入力された光信号は、第２カプラ１１１Ｂ−１で合波されて、合波された光信号が、伝送路１０２Ｂを介して、第１クライアント装置１０１Ａに送信される。
【００１９】
第１カプラ１１１Ａ−１、１１１Ａ−２の各々を特に区別する必要がない場合には、第１カプラ１１１Ａという。
また、第２カプラ１１１Ｂ−１、１１１Ｂ−２の各々を特に区別する必要がない場合には、第２カプラ１１１Ｂという。
【００２０】
監視端末１５０は、通信装置１１０と、有線又は無線で接続されており、通信装置１１０で障害が発生した際に、通信装置１１０からその通知を受ける。なお、監視端末１５０は、例えば、コンピュータ等の情報処理装置である。また、監視端末１５０と、通信装置１１０との間の接続は、どのような方法であってもよい。
【００２１】
図２は、通信装置１１０の構成を概略的に示すブロック図である。
通信装置１１０は、第１カプラ１１１Ａと、第２カプラ１１１Ｂと、第１インターフェース部（以下、第１ＩＦ部という）１２０Ａと、第２インターフェース部（以下、第２ＩＦ部という）１２０Ｂと、プロテクション制御部１４０とを備える。
【００２２】
第１カプラ１１１Ａは、クライアント装置１０１から入力される光信号である主信号を二つの信号に分岐させて、それぞれを第１ＩＦ部１２０Ａ及び第２ＩＦ部１２０Ｂに与える分岐部である。
第２カプラ１１１Ｂは、第１ＩＦ部１２０Ａ及び第２ＩＦ部１２０Ｂから与えられる光信号である主信号を合波して、合波された主信号をクライアント装置１０１に出力する合波部である。
【００２３】
第１ＩＦ部１２０Ａは、第１クライアントインターフェース部（以下、第１クライアントＩＦ部という）１２１Ａと、第１主信号処理部１２２Ａと、第１伝送路インターフェース部（以下、第１伝送路ＩＦ部という）１２３Ａと、第１切替制御部１２４Ａと、第１データバッファ部１２５Ａと、第１モニタ部１２６Ａと、第１障害検出部１２７Ａとを備える。
また、第１主信号処理部１２２Ａは、第１データ使用率検出部１２８Ａと、第１ＩＤＬＥパタン生成部１２９Ａと、第１セレクタ１３０Ａとを備える。
さらに、第１クライアントＩＦ部１２１Ａは、第１光出力制御部１３１Ａと、第１レーザ１３２Ａとを備える。
【００２４】
第２ＩＦ部１２０Ｂは、第２クライアントインターフェース部（以下、第２クライアントＩＦ部という）１２１Ｂと、第２主信号処理部１２２Ｂと、第２伝送路インターフェース部（以下、第２伝送路ＩＦ部という）１２３Ｂと、第２切替制御部１２４Ｂと、第２データバッファ部１２５Ｂと、第２モニタ部１２６Ｂと、第２障害検出部１２７Ｂとを備える。
また、第２主信号処理部１２２Ｂは、第２データ使用率検出部１２８Ｂと、第２ＩＤＬＥパタン生成部１２９Ｂと、第２セレクタ１３０Ｂとを備える。
さらに、第２クライアントＩＦ部１２１Ｂは、第２光出力制御部１３１Ｂと、第２レーザ１３２Ｂとを備える。
【００２５】
ここで、第１ＩＦ部１２０Ａが現用系として機能し、第２ＩＦ部１２０Ｂが予備系として機能している場合を例に、信号処理の流れを説明する。
クライアント装置１０１から通信装置１１０に入力された第１光信号は、第１カプラ１１１Ａで第２光信号及び第３光信号に分岐される。第２光信号は、第１ＩＦ部１２０Ａに入力され、第３光信号は、第２ＩＦ部１２０Ｂに入力される。
第２光信号は、第１ＩＦ部１２０Ａで光ネットワーク用の第４光信号に変換されて、第４光信号が光ネットワークに出力される。
第３光信号は、第２ＩＦ部１２０Ｂで光ネットワーク用の第５光信号に変換されて、第５光信号が光ネットワークに出力される。
光ネットワーク側からは、光ネットワークにおいて第６光信号から分岐された第７光信号及び第８光信号が通信装置１１０に入力される。
第７光信号は、第１ＩＦ部１２０Ａに入力され、第８光信号は、第２ＩＦ部１２０Ｂに入力される。
第７光信号は、第１ＩＦ部１２０Ａでクライアント装置用の第９光信号に変換される。
第３光信号は、第２ＩＦ部１２０Ｂでクライアント装置用の第１０光信号に変換される。
第９光信号及び第１０光信号は、第２カプラ１１１Ｂで合波され、合波された第１１光信号が、クライアント装置１０１に出力される。
【００２６】
以下、通信装置１１０の構成を説明する。
なお、第１ＩＦ部１２０Ａ及び第２ＩＦ部１２０Ｂは、同様に構成されており、第１ＩＦ部１２０Ａ及び第２ＩＦ部１２０Ｂの各々を特に区別する必要がない場合には、ＩＦ部１２０という。
また、第１クライアントＩＦ部１２１Ａ及び第２クライアントＩＦ部１２１Ｂの各々を特に区別する必要がない場合には、クライアントＩＦ部１２１といい、第１主信号処理部１２２Ａ及び第２主信号処理部１２２Ｂの各々を特に区別する必要がない場合には、主信号処理部１２２といい、第１伝送路ＩＦ部１２３Ａ及び第２伝送路ＩＦ部１２３Ｂの各々を特に区別する必要がない場合には、伝送路ＩＦ部１２３といい、第１切替制御部１２４Ａ及び第２切替制御部１２４Ｂの各々を特に区別する必要がない場合には、切替制御部１２４といい、第１データバッファ部１２５Ａ及び第２データバッファ部１２５Ｂの各々を特に区別する必要がない場合には、データバッファ部１２５といい、第１モニタ部１２６Ａ及び第２モニタ部１２６Ｂの各々を特に区別する必要がない場合には、モニタ部１２６といい、第１障害検出部１２７Ａ及び第２障害検出部１２７Ｂの各々を特に区別する必要がない場合には、障害検出部１２７という。
さらに、第１データ使用率検出部１２８Ａ及び第２データ使用率検出部１２８Ｂの各々を特に区別する必要がない場合には、データ使用率検出部１２８といい、第１ＩＤＬＥパタン生成部１２９Ａ及び第２ＩＤＬＥパタン生成部１２９Ｂの各々を特に区別する必要がない場合には、ＩＤＬＥパタン生成部１２９といい、第１セレクタ１３０Ａ及び第２セレクタ１３０Ｂの各々を特に区別する必要がない場合には、セレクタ１３０という。
また、第１光出力制御部１３１Ａ及び第２光出力制御部１３１Ｂの各々を特に区別する必要がない場合には、光出力制御部１３１といい、第１レーザ１３２Ａ及び第２レーザ１３２Ｂの各々を特に区別する必要がない場合には、レーザ１３２という。
【００２７】
クライアントＩＦ部１２１は、第１カプラ１１１Ａから与えられた光信号である主信号を、電気信号に変換して、主信号処理部１２２に与える。
主信号処理部１２２は、クライアントＩＦ部１２１から与えられた電気信号である主信号に対して、予め定められた処理を行い、処理された主信号を伝送路ＩＦ部１２３に与える。例えば、主信号処理部１２２は、主信号の警報監視処理、性能情報監視処理及び誤り訂正符号化処理を行う。
伝送路ＩＦ部１２３は、主信号処理部１２２から与えられた主信号を光信号に変換して、その光信号を伝送路１０２に出力する。
【００２８】
伝送路ＩＦ部１２３は、伝送路１０２から入力される光信号である主信号を電気信号に変換して、変換された電気信号である主信号を主信号処理部１２２に与える。
【００２９】
主信号処理部１２２は、伝送路ＩＦ部１２３から与えられた電気信号である主信号に対して、予め定められた処理を行うとともに、処理された主信号からデータを抽出して、抽出されたデータをデータバッファ部１２５に与える。例えば、主信号処理部１２２は、主信号の警報監視処理、性能情報監視処理及び誤り訂正符号化処理を行う。
【００３０】
具体的には、主信号処理部１２２が含まれているＩＦ部１２０が現用系として機能している場合には、主信号処理部１２２に含まれているデータ使用率検出部１２８は、予備系の正常性確認を前回行ってから、予め定められた時間が経過したか否かを判断する。例えば、データ使用率検出部１２８は、予め定められた時間を計測するためのカウンタを備えており、このカウンタの値が予め定められた閾値以上となったか否かで、予め定められた時間を計測することができる。具体的には、２４時間を計測する場合、１時間に１回カウントするカウンタの値が２４以上となった場合に、２４時間が経過したと判断することができる。
そして、予め定められた時間が経過した場合には、データ使用率検出部１２８は、伝送路ＩＦ部１２３からの主信号に含むことのできるデータ量に対する、その主信号に含まれているデータ量の割合であるデータ使用率を検出する。例えば、データ使用率検出部１２８は、主信号に含まれているデータであるフレームのフレーム数をカウントし、予め定められた最大レートにおいて受信することのできるフレーム数に対するカウントされたフレーム数の割合（％）により、データ使用率を算出することができる。算出されたデータ使用率は、切替制御部１２４に与えられる。
なお、データ使用率検出部１２８は、予備系の正常性確認を前回行ってから、予め定められた時間が経過した場合には、予備系の正常性確認が行われて、再度、予め定められた時間が経過したか否かの判断を再開するまで、順次、データ使用率の検出を行う。
【００３１】
切替制御部１２４は、データ使用率検出部１２８から与えられるデータ使用率が予め定められた閾値よりも小さいか否かを判断する。そして、データ使用率が閾値よりも小さい場合には、切替制御部１２４は、プロテクション制御部１４０に、出力を現用系から予備系に切り替える要求である切替要求を通知する。
【００３２】
データバッファ部１２５は、データ使用率検出部１２８から与えられるデータのバッファを行う。ここで、データバッファ部１２５は、プロテクション制御部１４０からの指示に応じて、バッファされたデータの出力レートを変更することができる。そして、データバッファ部１２５は、プロテクション制御部１４０から指示された出力レートで、バッファされたデータをセレクタ１３０に与える。
【００３３】
ＩＤＬＥパタン生成部（アイドルパタン生成部）１２９は、イーサネット（登録商標）において、インターフレームギャップに挿入される特殊なデータ列であるＩＤＬＥパタン信号（アイドルパタン信号）を生成し、生成されたＩＤＬＥパタン信号をセレクタ１３０に与える。
【００３４】
セレクタ１３０は、プロテクション制御部１４０からの指示に応じて、データバッファ部１２５からのデータと、ＩＤＬＥパタン生成部１２９からのＩＤＬＥパタン信号との間で出力を切り替える。これにより、クライアントＩＦ部１２１への入力は、データバッファ部１２５からのデータと、ＩＤＬＥパタン生成部１２９からのＩＤＬＥパタン信号との間で切り替えられる。
【００３５】
クライアントＩＦ部１２１は、セレクタ１３０からの出力に応じて、光信号を生成して、生成された光信号を、出力用カプラである第２カプラ１１１Ｂに与える。クライアントＩＦ部１２１は、例えば、セレクタ１３０からデータが入力された場合には、入力されたデータに対応する光信号を出力し、セレクタ１３０からＩＤＬＥパタン信号が入力された場合には、入力されたＩＤＬＥパタン信号に対応する光信号であるＩＤＬＥパタン光信号（アイドルパタン光信号）を出力する。
【００３６】
ここで、クライアントＩＦ部１２１からの出力は、第２カプラ１１１Ｂを経てクライアント装置１０１に出力されるため、現用系及び予備系の信号が衝突しないように、プロテクション制御部１４０からの現用系設定又は予備系設定に従い、クライアントＩＦ部１２１内の光出力制御部１３１は、レーザ１３２の出力をオン又はオフにする。具体的には、プロテクション制御部１４０からの現用系設定が行われた場合には、光出力制御部１３１は、レーザ１３２の出力をオンにすることで、発光制御を行う。一方、プロテクション制御部１４０からの待機系設定が行われた場合には、光出力制御部１３１は、レーザ１３２の出力をオフにすることで、シャットダウン制御を行う。
【００３７】
モニタ部１２６は、クライアントＩＦ部１２１と第２カプラ１１１Ｂとの間の光信号の出力レベルをモニタして、予備系に障害があるか否かを確認する監視部である。そして、モニタ部１２６は、予備系に障害がある場合には、障害の発生を障害検出部１２７に通知する。
障害検出部１２７は、モニタ部１２６から障害の発生の通知を受けると、障害の発生をプロテクション制御部１４０及び監視端末１５０に通知する。
【００３８】
プロテクション制御部１４０は、切替制御部１２４から通知される切替要求に従って、出力を現用系から予備系に切り替える処理を制御する。
例えば、プロテクション制御部１４０は、現用系として機能しているＩＦ部１２０に障害が発生していない場合には、現用系として機能しているＩＦ部１２０のクライアントＩＦ部１２１に光信号を出力させる。
一方、現用系として機能しているＩＦ部１２０に障害が発生している場合には、プロテクション制御部１４０は、現用系として機能しているＩＦ部１２０のクライアントＩＦ部１２１に光信号の出力を停止させる。そして、プロテクション制御部１４０は、予備系として機能しているＩＦ部１２０のクライアントＩＦ部１２１に光信号を出力させる。
【００３９】
また、プロテクション制御部１４０は、データ使用率検出部１２８で検出されたデータ使用率が予め定められた閾値よりも低くなった場合に、データバッファ部１２５にデータをバッファさせて、現用系として機能しているＩＦ部１２０のクライアントＩＦ部１２１に光信号の出力を停止させる。そして、プロテクション制御部１４０は、ＩＤＬＥパタン生成部１２９にＩＤＬＥパタン信号を生成させ、セレクタ１３０にＩＤＬＥパタン信号を出力させ、クライアントＩＦ部１２１に、ＩＤＬＥパタン信号に対応するＩＤＬＥパタン光信号を出力させる。さらに、プロテクション制御部１４０は、モニタ部１２６に、ＩＬＤＬＥパタン光信号の出力レベルを監視させて、予備系として機能しているＩＦ部１２０の障害の有無を判断させる。
【００４０】
さらに、プロテクション制御部１４０は、モニタ部１２６が、予備系として機能しているＩＦ部１２０に障害がないと判断した場合には、予備系として機能しているＩＦ部１２０のクライアントＩＦ部１２１からの出力を停止させるとともに、データバッファ部１２５からデータを出力させて、現用系として機能しているＩＦ部１２０のクライアントＩＦ部１２１から光信号を出力させる。
【００４１】
以上に記載された第１ＩＦ部１２０Ａ、第２ＩＦ部１２０Ｂ及びプロテクション制御部１４０の一部又は全部は、例えば、図３（Ａ）に示されているように、単一回路、複合回路、プログラム化したプロセッサ、並列プログラム化したプロセッサ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔｓ）又はＦＰＧＡ（Ｆｉｅｌｄ  Ｐｒｏｇｒａｍｍａｂｌｅ  Ｇａｔｅ  Ａｒｒａｙ）等の処理回路１０で構成することができる。
【００４２】
また、第１ＩＦ部１２０Ａ、第２ＩＦ部１２０Ｂ及びプロテクション制御部１４０の一部は、メモリ１１と、メモリ１１に格納されているプログラムを実行するＣＰＵ（Ｃｅｎｔｒａｌ  Ｐｒｏｃｅｓｓｉｎｇ  Ｕｎｉｔ）等のプロセッサ１２とにより構成することもできる。このようなプログラムは、ネットワークを通じて提供されてもよく、また、記録媒体に記録されて提供されてもよい。即ち、このようなプログラムは、例えば、プログラムプロダクトとして提供されてもよい。
【００４３】
図４は、通信装置１１０における予備系の正常性を確認する処理を示すフローチャートである。
ここで、図４は、第１ＩＦ部１２０Ａが現用系のインターフェース部で、第２ＩＦ部１２０Ｂが予備系のインターフェース部である場合の処理を示す。
【００４４】
まず、通信装置１１０の運用が開始されると、第１データ使用率検出部１２８Ａは、時間を計測するためのカウンタｎの値を初期化する（Ｓ１０）。ここでは、カウンタｎの値が０にされる。
次に、第１データ使用率検出部１２８Ａは、カウンタｎにカウントを行うタイミングで、カウンタｎの値が予め定められた閾値ｘ以上であるか否かを判断する（Ｓ１１）。カウンタｎの値が予め定められた閾値ｘ未満である場合（Ｓ１１でＮｏ）には、処理はステップＳ１２に進み、カウンタｎの値が予め定められた閾値ｘ以上である場合（Ｓ１１でＹｅｓ）には、処理はステップＳ１３に進む。
【００４５】
ステップＳ１２では、第１データ使用率検出部１２８Ａは、カウンタｎに１を加算する。そして、処理はステップＳ１１に戻る。
一方、ステップＳ１３では、第１データ使用率検出部１２８Ａは、データ使用率を検出する。そして、第１データ使用率検出部１２８Ａは、検出されたデータ使用率を第１切替制御部１２４Ａに与える。
【００４６】
次に、第１切替制御部１２４Ａは、データ使用率が予め定められた閾値ｙよりも小さいか否かを判断する（Ｓ１４）。データ使用率が予め定められた閾値ｙよりも小さい場合（Ｓ１４でＹｅｓ）には、処理はステップＳ１５に進み、データ使用率が予め定められた閾値ｙ以上である場合（Ｓ１４でＮｏ）には、処理はステップＳ１３に戻る。処理がステップＳ１３に戻った場合には、第１データ使用率検出部１２８Ａにより、データ使用率が再度検出されるが、第１データ使用率検出部１２８Ａは、予め定められた時間待機してから、データ使用率を検出してもよい。
【００４７】
ステップＳ１５では、第１切替制御部１２４Ａは、プロテクション制御部１４０に切替要求を通知する。
切替要求の通知を受けたプロテクション制御部１４０は、予備系の正常性を確認するために、第１ＩＦ部１２０Ａ及び第２ＩＦ部１２０Ｂの設定を切り替える（Ｓ１６）。
【００４８】
具体的には、プロテクション制御部１４０は、現用系の第１ＩＦ部１２０Ａにおいて、第１データバッファ部１２５Ａの出力レートを０％にして、第１データバッファ部１２５Ａからデータが出力されないようにするとともに、第１光出力制御部１３１Ａにシャットダウンを指示する。このような指示を受けた第１光出力制御部１３１Ａは、第１レーザ１３２Ａの出力をオフにする。
また、プロテクション制御部１４０は、予備系の第２ＩＦ部１２０Ｂにおいて、第２セレクタ１３０Ｂを切り替えて、第２ＩＤＬＥパタン生成部１２９Ｂで生成されたＩＤＬＥパタン信号が出力されるようにするとともに、第２光出力制御部１３１Ｂに発光を指示する。このような指示を受けた第２光出力制御部１３１Ｂは、第２レーザ１３２Ｂの出力をオンにする。これにより、第２レーザ１３２Ｂは、第２セレクタ１３０Ｂから出力されるＩＤＬＥパタン信号に対応する光信号（ＩＤＬＥパタン光信号）を出力する。
【００４９】
そして、第２モニタ部１２６Ｂは、プロテクション制御部１４０からの指示を受けて、第２クライアントＩＦ部１２１Ｂと第２カプラ１１１Ｂと間の光信号の出力レベルをモニタして、予備系に障害があるか否かを確認する（Ｓ１７）。例えば、第２モニタ部１２６Ｂは、第２クライアントＩＦ部１２１Ｂから出力される光信号の出力レベルが、予め定められた閾値未満である場合には、予備系に障害があると判断する。予備系に障害がある場合（Ｓ１７でＹｅｓ）には、第２モニタ部１２６Ｂは、障害の発生を第２障害検出部１２７Ｂに通知して、フローを終了する。
一方、予備系に障害がない場合（Ｓ１７でＮｏ）には、処理はステップＳ１８に進む。
【００５０】
ステップＳ１８では、プロテクション制御部１４０は、ステップＳ１６で実行された切り替え前の状態に設定を復旧させる。
具体的には、プロテクション制御部１４０は、現用系の第１ＩＦ部１２０Ａにおいて、第１データバッファ部１２５Ａの出力レートを１００％にして、第１データバッファ部１２５Ａに一時的に記憶されたデータが出力されるようにするとともに、第１光出力制御部１３１Ａに発光を指示する。このような指示を受けた第１光出力制御部１３１Ａは、第１レーザ１３２Ａの出力をオンにする。
また、プロテクション制御部１４０は、予備系の第２ＩＦ部１２０Ｂにおいて、第２セレクタ１３０Ｂを切り替えて、第２データバッファ部１２５Ｂからのデータが出力されるようにするとともに、第２光出力制御部１３１Ｂにシャットダウンを指示する。このような指示を受けた第２光出力制御部１３１Ｂは、第２レーザ１３２Ｂの出力をオフにする。
【００５１】
なお、予備系に障害がない場合（Ｓ１７でＮｏ）にも、第２モニタ部１２６Ｂは、障害が発生していないことを第２障害検出部１２７Ｂに通知し、第２障害検出部１２７Ｂがその内容をプロテクション制御部１４０に通知することにより、プロテクション制御部１４０がステップＳ１８の処理を行えばよい。
【００５２】
次に、第１データ使用率検出部１２８Ａは、カウンタｎの値を初期化して（Ｓ１９）、処理はステップＳ１１に戻る。
なお、プロテクション制御部１４０は、ステップＳ１８の処理中又はその処理を行った後に、第１データ使用率検出部１２８Ａに、予備系の正常性の確認が終了したことを通知することにより、第１データ使用率検出部１２８Ａは、ステップＳ１９の処理を行えばよい。
【００５３】
図５は、現用系のＩＦ部１２０及び予備系のＩＦ部１２０から第２カプラ１１１Ｂへの出力のタイミングを示す概略図である。
現用系のＩＦ部１２０は、カウンタｎを用いて、予め定められた期間Ｔ１を待機した後に、データ使用率が低いタイミングｔ１で、クライアントＩＦ部１２１の出力をシャットダウンする。
現用系のクライアントＩＦ部１２１の出力がシャットダウンされている期間Ｔ２内に含まれる期間Ｔ３において、予備系のＩＦ部１２０は、クライアントＩＦ部１２１を発光させて、その出力レベルにより、予備系に障害が発生しているか否かを確認する。
【００５４】
実施の形態１によれば、クライアント装置１０１からのデータを損なうことなく、予備系の正常性を確認することができる。これにより、両系の障害発生による通信断の発生を抑えることができる。
【００５５】
実施の形態２．
図１に示されているように、実施の形態２に係る通信システム２００は、第１通信装置２１０Ａと、第２通信装置２１０Ｂと、監視端末１５０とを備える。
実施の形態２における通信システム２００における監視端末１５０は、実施の形態１と同様である。
【００５６】
第１通信装置２１０Ａは、第１クライアント装置１０１Ａと、伝送路１０２Ａ、１０２Ｂで接続されている。
第２通信装置２１０Ｂは、第２クライアント装置１０１Ｂと、伝送路１０２Ｃ、１０２Ｄで接続されている。
そして、第１通信装置２１０Ａ及び第２通信装置２１０Ｂは、伝送路１０２Ｅ、１０２Ｆ、１０２Ｇ、１０２Ｈで接続されている。
実施の形態２における第１クライアント装置１０１Ａ及び第２クライアント装置１０１Ｂは、実施の形態１と同様である。伝送路１０２Ａ〜１０２Ｈも実施の形態１と同様である。
【００５７】
第１通信装置２１０Ａ及び第２通信装置２１０Ｂは、第１クライアント装置１０１Ａ及び第２クライアント装置１０１Ｂ間で通信する光信号を中継する中継装置である。第１通信装置２１０Ａ及び第２通信装置２１０Ｂの各々を特に区別する必要がない場合には、通信装置２１０という。
【００５８】
図６は、実施の形態２における通信装置２１０の構成を概略的に示すブロック図である。
通信装置２１０は、第１カプラ１１１Ａと、第２カプラ１１１Ｂと、第１ＩＦ部２２０Ａと、第２ＩＦ部２２０Ｂと、プロテクション制御部２４０とを備える。
第１カプラ１１１Ａ及び第２カプラ１１１Ｂについては、実施の形態１と同様である。
【００５９】
第１ＩＦ部２２０Ａは、第１クライアントＩＦ部２２１Ａと、第１主信号処理部２２２Ａと、第１伝送路ＩＦ部１２３Ａと、第１モニタ部２２６Ａと、第１障害検出部２２７Ａと、第１光減衰制御部２３３Ａとを備える。
ここで、第１伝送路ＩＦ部１２３Ａは、実施の形態１と同様である。
なお、第１クライアントＩＦ部２２１Ａは、第１光出力制御部２３１Ａと、第１レーザ１３２Ａとを備える。
第１レーザ１３２Ａは、実施の形態１と同様である。
【００６０】
第２ＩＦ部２２０Ｂは、第２クライアントＩＦ部２２１Ｂと、第２主信号処理部２２２Ｂと、第２伝送路ＩＦ部１２３Ｂと、第２モニタ部２２６Ｂと、第２障害検出部２２７Ｂとを備える。
ここで、第２伝送路ＩＦ部１２３Ｂは、実施の形態１と同様である。
なお、第２クライアントＩＦ部２２１Ｂは、第２光出力制御部２３１Ｂと、第２レーザ１３２Ｂとを備える。
第２レーザ１３２Ｂは、実施の形態１と同様である。
【００６１】
ここで、第１ＩＦ部２２０Ａ及び第２ＩＦ部２２０Ｂは、同様に構成されており、第１ＩＦ部２２０Ａ及び第２ＩＦ部２２０Ｂの各々を特に区別する必要がない場合には、ＩＦ部２２０という。
また、第１クライアントＩＦ部２２１Ａ及び第２クライアントＩＦ部２２１Ｂの各々を特に区別する必要がない場合には、クライアントＩＦ部２２１といい、第１主信号処理部２２２Ａ及び第２主信号処理部２２２Ｂの各々を特に区別する必要がない場合には、主信号処理部２２２といい、第１モニタ部２２６Ａ及び第２モニタ部２２６Ｂの各々を特に区別する必要がない場合には、モニタ部２２６といい、第１障害検出部２２７Ａ及び第２障害検出部２２７Ｂの各々を特に区別する必要がない場合には、障害検出部２２７といい、第１光出力制御部２３１Ａ及び第２光出力制御部２３１Ｂの各々を特に区別する必要がない場合には、光出力制御部２３１といい、第１光減衰制御部２３３Ａ及び第２光減衰制御部２３３Ｂの各々を特に区別する必要がない場合には、光減衰制御部２３３という。
【００６２】
クライアントＩＦ部２２１は、第１カプラ１１１Ａから与えられた光信号である主信号を、電気信号に変換して、主信号処理部２２２に与える。
主信号処理部２２２は、クライアントＩＦ部２２１から与えられた電気信号である主信号に対して、予め定められた処理を行い、処理された主信号を伝送路ＩＦ部１２３に与える。例えば、主信号処理部２２２は、主信号の警報監視処理、性能情報監視処理及び誤り訂正符号化処理を行う。
伝送路ＩＦ部１２３は、主信号処理部２２２から与えられた主信号を光信号に変換して、その光信号を出力信号として伝送路１０２に出力する。
【００６３】
伝送路ＩＦ部１２３は、伝送路１０２から入力される光信号である主信号を電気信号に変換して、変換された電気信号である主信号を主信号処理部２２２に与える。
【００６４】
主信号処理部２２２は、伝送路ＩＦ部１２３から与えられた電気信号である主信号に対して、予め定められた処理を行い、処理された主信号をクライアントＩＦ部２２１に与える。例えば、主信号処理部２２２は、主信号の警報監視処理、性能情報監視処理及び誤り訂正符号化処理を行う。
【００６５】
クライアントＩＦ部２２１は、主信号処理部２２２から与えられる主信号に基づいて、光信号を生成して、生成された光信号を光減衰制御部２３３に与える。例えば、クライアントＩＦ部２２１内において、光出力制御部２３１がレーザ１３２を制御することにより、光信号を生成する。なお、実施の形態２においては、現用系であっても、予備系であっても、光出力制御部２３１は、レーザ１３２を常時オンにして発光させる。
【００６６】
光減衰制御部２３３は、プロテクション制御部２４０からの現用系設定又は予備系設定に従い、クライアントＩＦ部２２１から与えられる光信号の減衰処理を行う。
例えば、光減衰制御部２３３は、プロテクション制御部２４０からの現用系設定が行われた場合には、減衰量が最小となるようにする。
一方、光減衰制御部２３３は、プロテクション制御部２４０からの予備系設定が行われた場合には、通信装置２１０の運用開始時に、まず減衰量を最大としてから、モニタ部２２６から与えられる出力レベルに基づいて、現用系の光信号に影響しない出力レベルとなるように、減衰量を徐々に小さくする。例えば、現用系の光出力が０ｄＢｍの場合、コヒーレントクロストークが３５ｄＢ以上なら、ペナルティは０．１ｄＢ以下となるため、予備系側の光信号の出力レベルが、−３５ｄＢｍ以下であれば、現用系の光信号に影響しない。このため、予備系側の光信号の出力レベルが、−３５ｄＢｍ以下の予め定められたレベルとなるように、光減衰制御部２３３は、減衰量を調節する。このため、光減衰制御部２３３は、少なくとも３５ｄＢの損失可変範囲を有する。その後、光減衰制御部２３３は、減衰量を周期的に変更する。例えば、光減衰制御部２３３は、周期的に減衰量の増加及び減少を繰り返す。
なお、光減衰制御部２３３は、例えば、可変光減衰器（ＶＯＡ）を備えており、この可変光減衰器を用いて、光信号の出力を減衰させることができるものとする。
そして、光減衰制御部２３３は、処理後の光信号を出力用カプラである第２カプラ１１１Ｂに与える。
【００６７】
モニタ部２２６は、光減衰制御部２３３と第２カプラ１１１Ｂと間の光信号の出力レベルをモニタして、その出力レベルを光減衰制御部２３３に与えるとともに、その出力レベルに基づいて、予備系に障害があるか否かを確認する。そして、モニタ部２２６は、予備系に障害がある場合には、障害の発生を障害検出部２２７に通知する。
障害検出部２２７は、モニタ部２２６から障害の発生の通知を受けると、障害の発生をプロテクション制御部２４０及び監視端末１５０に通知する。
【００６８】
プロテクション制御部２４０は、光減衰制御部２３３に現用系設定又は予備系設定を行う。
例えば、プロテクション制御部２４０は、現用系として機能しているＩＦ部２２０に障害が発生していない場合には、現用系として機能しているＩＦ部２２０のクライアントＩＦ部２２１に光信号を出力させる。
一方、現用系として機能しているＩＦ部２２０に障害が発生している場合には、プロテクション制御部２４０は、現用系として機能しているＩＦ部２２０のクライアントＩＦ部２２１に光信号の出力を停止させるとともに、予備系として機能しているＩＦ部２２０のクライアントＩＦ部２２１に光信号を出力させる。
【００６９】
実施の形態２のプロテクション制御部２４０は、現用系として機能しているＩＦ部２２０に障害が発生していない場合に、予備系として機能しているＩＦ部２２０の光減衰制御部２３３に、予備系として機能しているＩＦ部２２０のクライアントＩＦ部２２１から出力された光信号の出力レベルを減衰させ、予備系として機能しているＩＦ部２２０のモニタ部２２６に減衰された出力レベルを監視させることで、予備系として機能しているＩＦ部２２０の障害の有無を判断させる。
【００７０】
図７は、実施の形態２における通信装置２１０における予備系の正常性を確認する処理を示すフローチャートである。
ここで、図７は、第１ＩＦ部２２０Ａが現用系のインターフェース部で、第２ＩＦ部２２０Ｂが予備系のインターフェース部である場合の処理を示す。
【００７１】
まず、通信装置２１０の運用が開始されると、現用系である第１光減衰制御部２３３Ａは、減衰量を最小に設定し、予備系である第２光減衰制御部２３３Ｂは、減衰量を最大に設定する（Ｓ２０）。
【００７２】
第２光減衰制御部２３３Ｂは、モニタ部２２６から与えられる出力レベルに基づいて、現用系の光信号に影響しない出力レベルとなるように、減衰量を減少させる（Ｓ２１）。
そして、第２モニタ部２２６Ｂは、第２光減衰制御部２３３Ｂから出力される光信号の出力レベルをモニタして、予備系である第２クライアントＩＦ部２２１Ｂが正常に発光しているか否かを確認する（Ｓ２２）。例えば、第２モニタ部２２６Ｂは、第２光減衰制御部２３３Ｂから出力される光信号の出力レベルが、予め定められた閾値以上である場合には、予備系が正常に発光していると判断する。予備系が正常に発光していない場合（Ｓ２２でＮｏ）には、第２モニタ部２２６Ｂは、障害の発生を第２障害検出部２２７Ｂに通知して、フローを終了する。
一方、予備系が正常に発光している場合（Ｓ２２でＹｅｓ）には、処理はステップＳ２３に進む。
【００７３】
ステップＳ２３では、第２光減衰制御部２３３Ｂは、周期的に、減衰量の増加及び減少を繰り返す。
そして、第２モニタ部２２６Ｂは、第２光減衰制御部２３３Ｂから出力される光信号の出力レベルをモニタして、予備系である第２クライアントＩＦ部２２１Ｂからの光信号の出力レベルが周期的に変動しているか否かを判断する（Ｓ２４）。光信号の出力レベルが周期的に変動していない場合（Ｓ２４でＮｏ）には、第２モニタ部２２６Ｂは、障害の発生を第２障害検出部２２７Ｂに通知して、フローを終了する。
一方、光信号の出力レベルが周期的に変動している場合（Ｓ２４でＹｅｓ）には、処理はステップＳ２２に戻る。
【００７４】
図８は、現用系のＩＦ部２２０及び予備系のＩＦ部２２０から第２カプラ１１１Ｂへ出力される光信号の出力レベルの推移を示す概略図である。
現用系のＩＦ部２２０からは、光減衰制御部２３３での減衰量が最小、言い換えると、光信号の出力レベルが最大となるように、光信号が出力されている。
一方、予備系のＩＦ部２２０からは、通信装置２１０の運用開始直後に、光減衰制御部２３３での減衰量が最大、言い換えると、光信号の出力レベルが最小となるように、光信号が出力されている。その後、予備系の光減衰制御部２３３は、現用系の光信号に影響しない程度にまで減衰量を低下させ、周期的に減衰量を上下動させて、光信号の出力レベルを周期的に上下動させる。
【００７５】
光減衰制御部２３３からの出力は、現用系及び予備系ともに第２カプラ１１１Ｂに入力されるが、上記制御により、現用系に影響を与えることなく、クライアント装置１０１に光信号が出力される。
【００７６】
実施の形態２によれば、現用系で運用している状態から、出力を予備系に切り替えることなく、予備系側の正常性を確認することが可能となり、両系の障害発生による通信断の発生を抑えることができる。また、実施の形態２によれば、光減衰制御部２３３の障害も検出することができる。
【００７７】
実施の形態３．
実施の形態２における通信装置２１０は、予備系のクライアントＩＦ部２２１も常時発光されているため、定常的に消費電力が高くなる。
このため、実施の形態３では、予備系を特定のタイミングで発光させることで、定常的に消費電力を増加させることなく、予備系の正常性を確認することができるようにする。
【００７８】
図１に示されているように、実施の形態３に係る通信システム３００は、第１通信装置３１０Ａと、第２通信装置３１０Ｂと、監視端末１５０とを備える。
実施の形態３における通信システム３００における監視端末１５０は、実施の形態１と同様である。
【００７９】
第１通信装置３１０Ａは、第１クライアント装置１０１Ａと、伝送路１０２Ａ、１０２Ｂで接続されている。
第２通信装置３１０Ｂは、第２クライアント装置１０１Ｂと、伝送路１０２Ｃ、１０２Ｄで接続されている。
そして、第１通信装置３１０Ａ及び第２通信装置３１０Ｂは、伝送路１０２Ｅ、１０２Ｆ、１０２Ｇ、１０２Ｈで接続されている。
実施の形態３における第１クライアント装置１０１Ａ及び第２クライアント装置１０１Ｂは、実施の形態１と同様である。伝送路１０２Ａ〜１０２Ｈも実施の形態１と同様である。
【００８０】
第１通信装置３１０Ａ及び第２通信装置３１０Ｂは、第１クライアント装置１０１Ａ及び第２クライアント装置１０１Ｂ間で通信する光信号を中継する中継装置である。第１通信装置３１０Ａ及び第２通信装置３１０Ｂの各々を特に区別する必要がない場合には、通信装置３１０という。
【００８１】
図９は、実施の形態３における通信装置３１０の構成を概略的に示すブロック図である。
通信装置３１０は、第１カプラ１１１Ａと、第２カプラ１１１Ｂと、第１ＩＦ部３２０Ａと、第２ＩＦ部３２０Ｂと、プロテクション制御部３４０と、時刻計測部３４１とを備える。
第１カプラ１１１Ａ及び第２カプラ１１１Ｂについては、実施の形態１と同様である。
【００８２】
第１ＩＦ部３２０Ａは、第１クライアントＩＦ部３２１Ａと、第１主信号処理部３２２Ａと、第１伝送路ＩＦ部１２３Ａと、第１モニタ部３２６Ａと、第１障害検出部３２７Ａと、第１光減衰制御部３３３Ａとを備える。
ここで、第１伝送路ＩＦ部１２３Ａは、実施の形態１と同様である。
なお、第１クライアントＩＦ部３２１Ａは、第１光出力制御部３３１Ａと、第１レーザ１３２Ａとを備える。
第１レーザ１３２Ａは、実施の形態１と同様である。
【００８３】
第２ＩＦ部３２０Ｂは、第２クライアントＩＦ部３２１Ｂと、第２主信号処理部３２２Ｂと、第２伝送路ＩＦ部１２３Ｂと、第２モニタ部３２６Ｂと、第２障害検出部３２７Ｂとを備える。
ここで、第２伝送路ＩＦ部１２３Ｂは、実施の形態１と同様である。
なお、第２クライアントＩＦ部３２１Ｂは、第２光出力制御部３３１Ｂと、第２レーザ１３２Ｂとを備える。
第２レーザ１３２Ｂは、実施の形態１と同様である。
【００８４】
ここで、第１ＩＦ部３２０Ａ及び第２ＩＦ部３２０Ｂは、同様に構成されており、第１ＩＦ部３２０Ａ及び第２ＩＦ部３２０Ｂの各々を特に区別する必要がない場合には、ＩＦ部３２０という。
また、第１クライアントＩＦ部３２１Ａ及び第２クライアントＩＦ部３２１Ｂの各々を特に区別する必要がない場合には、クライアントＩＦ部３２１といい、第１主信号処理部３２２Ａ及び第２主信号処理部３２２Ｂの各々を特に区別する必要がない場合には、主信号処理部３２２といい、第１モニタ部３２６Ａ及び第２モニタ部３２６Ｂの各々を特に区別する必要がない場合には、モニタ部３２６といい、第１障害検出部３２７Ａ及び第２障害検出部３２７Ｂの各々を特に区別する必要がない場合には、障害検出部３２７といい、第１光出力制御部３３１Ａ及び第２光出力制御部３３１Ｂの各々を特に区別する必要がない場合には、光出力制御部３３１といい、第１光減衰制御部３３３Ａ及び第２光減衰制御部３３３Ｂの各々を特に区別する必要がない場合には、光減衰制御部３３３という。
【００８５】
クライアントＩＦ部３２１は、第１カプラ１１１Ａから与えられた光信号である主信号を、電気信号に変換して、主信号処理部３２２に与える。
主信号処理部３２２は、クライアントＩＦ部３２１から与えられた電気信号である主信号に対して、予め定められた処理を行い、処理された主信号を伝送路ＩＦ部１２３に与える。例えば、主信号処理部３２２は、主信号の警報監視処理、性能情報監視処理及び誤り訂正符号化処理を行う。
伝送路ＩＦ部１２３は、主信号処理部３２２から与えられた主信号を光信号に変換して、その光信号を出力信号として伝送路１０２に出力する。
【００８６】
伝送路ＩＦ部１２３は、伝送路１０２から入力される光信号である主信号を電気信号に変換して、変換された電気信号である主信号を主信号処理部３２２に与える。
【００８７】
主信号処理部３２２は、伝送路ＩＦ部１２３から与えられた電気信号である主信号に対して、予め定められた処理を行い、処理された主信号をクライアントＩＦ部３２１に与える。例えば、主信号処理部３２２は、主信号の警報監視処理、性能情報監視処理及び誤り訂正符号化処理を行う。
【００８８】
クライアントＩＦ部３２１は、主信号処理部３２２から与えられる主信号に基づいて、光信号を生成して、生成された光信号を光減衰制御部３３３に与える。例えば、クライアントＩＦ部３２１内において、光出力制御部３３１がレーザ１３２を制御することにより、光信号を生成する。なお、実施の形態３においては、予備系である場合には、光出力制御部３３１は、時刻計測部３４１から指示されたタイミングでレーザ１３２をオンにして発光させ、プロテクション制御部３４０から指示されたタイミングでレーザ１３２をオフにすることでシャットダウンを行う。
【００８９】
光減衰制御部３３３は、予備系である場合に、プロテクション制御部３４０からの現用系設定又は予備系設定に従い、クライアントＩＦ部３２１から与えられる光信号の減衰処理を行う。
例えば、光減衰制御部３３３は、プロテクション制御部３４０からの現用系設定が行われた場合には、減衰量が最小となるようにする。
一方、光減衰制御部３３３は、プロテクション制御部３４０からの予備系設定が行われた場合には、時刻計測部３４１から指示されたタイミングで、まず減衰量を最大としてから、モニタ部３２６から与えられる出力レベルに基づいて、現用系の光信号に影響しない出力レベルとなるように、減衰量を小さくする。その後、光減衰制御部３３３は、予め定められた回数、周期的に、減衰量の増加及び減少を繰り返す。
なお、光減衰制御部３３３は、例えば、可変光減衰器（ＶＯＡ）を備えており、この可変光減衰器を用いて、光信号の出力を減衰させることができるものとする。
そして、光減衰制御部３３３は、処理後の光信号を出力用カプラである第２カプラ１１１Ｂに与える。
【００９０】
モニタ部３２６は、光減衰制御部３３３と第２カプラ１１１Ｂと間の光信号の出力レベルをモニタして、その出力レベルを光減衰制御部３３３に与えるとともに、その出力レベルに基づいて、予備系に障害があるか否かを確認する。そして、モニタ部３２６は、予備系に障害がある場合には、障害の発生を障害検出部３２７に通知する。
障害検出部３２７は、モニタ部３２６から障害の発生の通知を受けると、障害の発生を監視端末１５０に通知する。
【００９１】
プロテクション制御部３４０は、光減衰制御部３３３に現用系設定又は予備系設定を行う。
例えば、プロテクション制御部３４０は、現用系として機能しているＩＦ部３２０に障害が発生していない場合には、現用系として機能しているＩＦ部３２０のクライアントＩＦ部３２１に光信号を出力させる。
一方、現用系として機能しているＩＦ部３２０に障害が発生している場合には、プロテクション制御部３４０は、現用系として機能しているＩＦ部３２０のクライアントＩＦ部３２１に光信号の出力を停止させる。そして、プロテクション制御部３４０は、予備系として機能しているＩＦ部３２０のクライアントＩＦ部３２１に、光信号を出力させる。
また、プロテクション制御部３４０は、予備系の正常性の確認が終了後に、予備系の光出力制御部３３１に指示することで、レーザ１３２をオフにさせて、予備系のクライアントＩＦ部３２１をシャットダウンさせる。
【００９２】
時刻計測部３４１は、時刻を測り、正常性確認時刻である予め設定された時刻になったか否かを判断する。そして、時刻計測部３４１は、予め設定された時刻になった場合に、予備系のモニタ部３２６、予備系の光減衰制御部３３３及び予備系の光出力制御部３３１に処理の開始指示を与える。処理の開始指示を受けて、予備系のモニタ部３２６、予備系の光減衰制御部３３３及び予備系の光出力制御部３３１は、それぞれの処理を開始する。
【００９３】
図１０は、実施の形態３における通信装置３１０における予備系の正常性を確認する処理を示すフローチャートである。
ここで、図１０は、第１ＩＦ部３２０Ａが現用系のインターフェース部で、第２ＩＦ部３２０Ｂが予備系のインターフェース部である場合の処理を示す。
【００９４】
まず、通信装置３１０の運用が開始されると、現用系である第１光減衰制御部３３３Ａは、減衰量を最小に設定し、予備系である第２光出力制御部３３１Ｂは、第２レーザ１３２Ｂをオフにして、第２光減衰制御部３３３Ｂは、減衰量を最大に設定する（Ｓ３０）。
【００９５】
次に、時刻計測部３４１は、正常性確認時刻になったか否かを判断する（Ｓ３１）。正常性確認時刻になった場合には、処理はステップＳ３２に進む。
【００９６】
ステップＳ３２では、時刻計測部３４１は、予備系である、第２モニタ部３２６Ｂ、第２光減衰制御部３３３Ｂ及び第２光出力制御部３３１Ｂに処理の開始指示を与える。このような指示を受けた第２光出力制御部３３１Ｂは、第２レーザ１３２Ｂをオンにすることで、発光を行わせる。
そして、第２光減衰制御部３３３Ｂは、第２モニタ部３２６Ｂから与えられる出力レベルに基づいて、現用系の光信号に影響しない出力レベルとなるように、減衰量を減少させる（Ｓ３３）。
そして、第２モニタ部３２６Ｂは、第２光減衰制御部３３３Ｂから出力される光信号の出力レベルをモニタして、予備系である第２クライアントＩＦ部３２１Ｂが正常に発光しているか否かを確認する（Ｓ３４）。例えば、第２モニタ部３２６Ｂは、第２光減衰制御部３３３Ｂから出力される光信号の出力レベルが、予め定められた閾値以上である場合には、予備系が正常に発光していると判断する。予備系が正常に発光していない場合（Ｓ３４でＮｏ）には、第２モニタ部３２６Ｂは、障害の発生を第２障害検出部３２７Ｂに通知して、フローを終了する。
一方、予備系が正常に発光している場合（Ｓ３４でＹｅｓ）には、処理はステップＳ３５に進む。
【００９７】
ステップＳ３５では、第２光減衰制御部３３３Ｂは、周期的に、減衰量の増加及び減少を繰り返す。
そして、第２光減衰制御部３３３Ｂは、減衰量の増加及び減少をｍ回繰り返したか否かを判断する（Ｓ３６）。減衰量の増加及び減少がｍ回繰り返された場合（Ｓ３６でＹｅｓ）には、処理はステップＳ３７に進む。ここで、ｍは、２以上の整数である。
【００９８】
ステップＳ３７では、第２モニタ部３２６Ｂは、第２光減衰制御部３３３Ｂから出力される光信号の出力レベルをモニタして、予備系である第２クライアントＩＦ部３２１Ｂからの光信号が周期的に変動しているか否かを判断する。光信号が周期的に変動していない場合（Ｓ３７でＮｏ）には、第２モニタ部３２６Ｂは、障害の発生を第２障害検出部３２７Ｂに通知して、フローを終了する。
一方、光信号が周期的に変動している場合（Ｓ３７でＹｅｓ）には、処理はステップＳ３８に進む。
【００９９】
ステップＳ３８では、プロテクション制御部３４０は、第２光出力制御部３３１Ｂに処理の終了指示を与えることで、第２レーザ１３２Ｂをオフにさせて、予備系の第２クライアントＩＦ部３２１Ｂをシャットダウンさせるとともに、第２光減衰制御部３３３Ｂに指示して、減衰量を最大に設定させる。そして、処理はステップＳ３１に戻る。
【０１００】
なお、予備系に障害がない場合にも、第２モニタ部３２６Ｂは、障害が発生していないことを第２障害検出部３２７Ｂに通知し、第２障害検出部３２７Ｂがその内容をプロテクション制御部３４０に通知することにより、プロテクション制御部３４０がステップＳ３８の処理を行えばよい。
【０１０１】
図１１は、現用系のＩＦ部３２０及び予備系のＩＦ部３２０から第２カプラ１１１Ｂへ出力される光信号の出力レベルの推移を示す概略図である。
現用系のＩＦ部３２０からは、光減衰制御部３３３での減衰量が最小、言い換えると、光信号の出力レベルが最大となるように、光信号が出力されている。
一方、予備系のＩＦ部３２０では、光減衰制御部３３３が、光信号の出力レベルを、最小から現用系の光信号に影響しない程度にまで高めて、周期的に上下動させた後に、光信号の出力レベルを最小とする処理を繰り返し行う。
【０１０２】
図１０のステップＳ３７では、第２モニタ部３２６Ｂは、第２光減衰制御部３３３Ｂから出力される光信号の出力レベルをモニタして、予備系である第２クライアントＩＦ部３２１Ｂからの光信号が周期的に変動しているか否かを判断しているが、出力レベルがｍ回変動しているかにより、予備系の障害の有無を判断してもよい。
【０１０３】
実施の形態３により、通信装置３１０は、定常的な消費電力を増加させることなく、予備系側の正常性を確認することが可能となり、両系の障害発生による通信断の発生を抑えることができる。
【符号の説明】
【０１０４】
１００，２００，３００  通信システム、  １１０，２１０，３１０  通信装置、  １１１Ａ  第１カプラ、  １１１Ｂ  第２カプラ、  １２０，２２０，３２０  ＩＦ部、  １２１，２２１，３２１  クライアントＩＦ部、  １２２，２２２，３２２  主信号処理部、  １２３  伝送路ＩＦ部、  １２４  切替制御部、  １２５  データバッファ部、  １２６，２２６，３２６  モニタ部、  １２７，２２７，３２７  障害検出部、  １２８  データ使用率検出部、  １２９  ＩＤＬＥパタン生成部、  １３０  セレクタ、  １３１，２３１，３３１  光出力制御部、  １３２  レーザ、  ２３３，３３３  光減衰制御部、  １４０，２４０，３４０  プロテクション制御部、  ３４１  時刻計測部、  １５０  監視端末。
【図１】
2018186318.tif 000003
【図２】
2018186318.tif 000004
【図３】
2018186318.tif 000005
【図４】
2018186318.tif 000006
【図５】
2018186318.tif 000007
【図６】
2018186318.tif 000008
【図７】
2018186318.tif 000009
【図８】
2018186318.tif 000010
【図９】
2018186318.tif 000011
【図１０】
2018186318.tif 000012
【図１１】
2018186318.tif 000013